(57)【要約】【課題】ユーザの勘違いに起因する配車時の不要な待機時間を低減する。【解決手段】配車システムは、ユーザ（１００）に対して自動運転で車両（３０）を配車する配車システムである。配車システムは、ユーザが車両の乗車位置として指定するピックアップ希望位置を含む配車要求情報を取得する第１取得手段（２１０）と、ユーザがピックアップ希望位置とは異なる位置で車両を待つ可能性がある誤認状態であるか否かを判定する判定手段（２４０）と、誤認状態である判定された場合に、ユーザに対して誤認状態である旨を通知する通知手段（２５０）とを備える。【選択図】図１
2020021156.tif 000002
【特許請求の範囲】
【請求項１】
ユーザに対して自動運転で車両を配車する配車システムであって、
前記ユーザが前記車両の乗車位置として指定するピックアップ希望位置を含む配車要求情報を取得する第１取得手段と、
前記ユーザが前記ピックアップ希望位置とは異なる位置で前記車両を待つ可能性がある誤認状態であるか否かを判定する判定手段と、
前記誤認状態である判定された場合に、前記ユーザに対して前記誤認状態である旨を通知する通知手段と
を備えることを特徴とする配車システム。
【請求項２】
前記ユーザの位置を示す位置情報を取得する第２取得手段を更に備え、
前記判定手段は、前記配車要求情報及び前記位置情報を用いて前記誤認状態であるか否かを判定する
ことを特徴とする請求項１に記載の配車システム。
【請求項３】
前記ユーザのスケジュール情報を取得する第３取得手段を更に備え、
前記判定手段は、前記配車要求情報及び前記スケジュール情報を用いて前記誤認状態であるか否かを判定する
ことを特徴とする請求項１に記載の配車システム。
【請求項４】
過去の前記ピックアップ希望位置に関する履歴情報を取得する第４取得手段を更に備え、
前記判定手段は、前記配車要求情報及び前記履歴情報を用いて前記誤認状態であるか否かを判定する
ことを特徴とする請求項１に記載の配車システム。
【発明の詳細な説明】
【技術分野】
【０００１】
本発明は、自動運転で配車を行う配車システムの技術分野に関する。
【背景技術】
【０００２】
この種のシステムとして、ユーザが指定した場所に自動運転で車両を届けるものが知られている。例えば特許文献１では、ユーザが指定する出発予定時刻までに、駐車場内の車両を所定の乗車場所まで自動走行させる技術が開示されている。特許文献２では、ユーザが乗り捨てした車両を自動で駐車スペースへ移動して駐車させると共に、駐車スペースまでの軌跡上の指定箇所でユーザをピックアップ可能とする技術が開示されている。特許文献３では、ユーザの現在位置等から配車位置を決定し、現在地から乗車位置までの経路を利用者が所持する通信端末に通知する技術が開示されている。
【０００３】
なお、状況次第でユーザが望む乗車位置に車両を届けることができない場合も想定される。このため、特許文献４では、車両が乗車位置にたどり着けないと判断した場合に、ユーザに新たな待ち合わせ場所や車両の位置を通知する技術が提案されている。
【先行技術文献】
【特許文献】
【０００４】
【特許文献１】特開２０１５−１７６４６８号公報
【特許文献２】米国特許出願公開第２０１６／０３６２１０３号明細書
【特許文献３】特開２０１６−０９１４１１号公報
【特許文献４】特開２００９−２０４４５７号公報
【発明の概要】
【発明が解決しようとする課題】
【０００５】
ユーザが乗車位置（言い換えれば、配車位置）を指定する場合、ユーザの勘違いに起因して、ユーザの元に配車が行われないという事態が起こり得る。例えば、ユーザが勘違いをして指定した乗車位置とは異なる位置で車両を待ち続けると、指定した乗車位置に正常に配車が行われたとしても、ユーザの元には車両が届かない。このようなユーザの勘違いについては、上述した特許文献４では全く考慮されておらず、上記のような状況が発生しても解消することは難しい。つまり、配車自体は正常に完了されているため、そのような状態を異常と判定することが難しく、結果として、不要な待機時間が発生することを避けられない。
【０００６】
本発明は、例えば上記問題点に鑑みてなされたものであり、ユーザの勘違いに起因する不要な待機時間を低減することが可能な配車システムを提供することを課題とする。
【課題を解決するための手段】
【０００７】
本発明に係る配車システムの一態様では、ユーザに対して自動運転で車両を配車する配車システムであって、前記ユーザが前記車両の乗車位置として指定するピックアップ希望位置を含む配車要求情報を取得する第１取得手段と、前記ユーザが前記ピックアップ希望位置とは異なる位置で前記車両を待つ可能性がある誤認状態であるか否かを判定する判定手段と、前記誤認状態である判定された場合に、前記ユーザに対して前記誤認状態である旨を通知する通知手段とを備える。
【図面の簡単な説明】
【０００８】
【図１】第１実施形態に係る配車システムの構成を示すブロック図である。
【図２】ユーザの勘違いに起因して生じ得る技術的問題点を示す概念図である。
【図３】第１実施形態に係る配車システムの動作の流れを示すフローチャートである。
【図４】第２実施形態に係る配車システムの動作の流れを示すフローチャートである。
【図５】第３実施形態に係る配車システムの動作の流れを示すフローチャートである。
【発明を実施するための形態】
【０００９】
以下、図面を参照して配車システムの実施形態について説明する。
【００１０】
＜第１実施形態＞
第１実施形態に係る配車システムについて、図１から図３を参照して説明する。
【００１１】
（システム構成）
まず、第１実施形態に係る配車システムの構成について、図１を参照して説明する。図１は、第１実施形態に係る配車システムの構成を示すブロック図である。
【００１２】
図１に示すように、第１実施形態に係る配車システムは、ユーザ端末１０、配車装置２０、車両３０を備えて構成されている。配車システムは、ユーザ端末１０から配車装置２０に出力される配車要求に応じて、ユーザの元へ車両３０を配車することが可能に構成されている。なお、図１に示す構成では、説明の便宜上、ユーザ端末１０及び車両３０の各々が１つずつしか図示されていないが、１つの配車装置２０に対して、複数のユーザ端末１０及び複数の車両３０が対応していてもよい。
【００１３】
ユーザ端末１０は、ユーザが所持する携帯端末（例えば、スマートフォンや専用端末等）であり、ユーザの操作に応じて配車装置２０に対する配車要求（具体的には、配車要求情報の送信）を行うことが可能に構成されている。また、ユーザ端末１０は、配車装置２０に対して配車要求情報以外の各種情報（例えば、ユーザの位置に関する情報等）の送信を行うことが可能に構成されている。ユーザ端末１０は更に、配車装置２０から受信した情報を、ユーザに対して通知することが可能に構成されている。
【００１４】
配車装置２０は、ユーザに対する配車を管理する装置であって、例えば自動駐車を行うことが可能な駐車場等に配置されている。或いは、配車装置２０は、ユーザ端末１０や車両２０の内部に搭載されていてもよい。配車装置２０は、その機能を実現するための処理ブロック又は物理的な処理回路として、配車要求取得部２１０、配車実行部２２０、ユーザ情報取得部２３０、誤認状態判定部２４０、及び誤認状態通知部２５０を備えている。
【００１５】
配車要求取得部２１０は、ユーザ端末１０から配車要求情報を取得する。配車要求情報は、少なくとも配車位置（言い換えれば、ユーザのピックアップ希望位置）に関する情報を含んでいる。配車要求取得部２１０で取得された配車要求情報は、配車実行部２２０及び誤認状態判定部２４０に夫々出力される構成となっている。配車要求取得部２１０は、後述する付記における「第１取得手段」の一具体例である。
【００１６】
配車実行部２２０は、配車要求取得部２１０で取得された配車要求情報に基づいて、車両３０に配車指令を出力する。具体的には、配車実行部２２０は、配車要求を行ったユーザに対応する車両３０に対して、ユーザが指定した配車位置に移動するように指令を出力する。なお、配車要求情報に配車時刻に関する情報が含まれている場合には、配車時刻に配車位置に到着するような指令を出力する。
【００１７】
ユーザ情報取得部２３０は、ユーザ端末１０から、配車要求情報以外の情報（以下、適宜「ユーザ情報」と称する）を取得する。第１実施形態に係るユーザ情報取得部２３０は特に、ユーザの位置を示す位置情報をユーザ情報として取得する。ユーザ情報取得部２３０によって取得されたユーザ情報は、誤認状態判定部２４０に出力される構成となっている。ユーザ情報取得部２３０は、後述する付記における「第２取得手段」の一具体例である。
【００１８】
誤認状態判定部２４０は、配車要求取得部２１０で取得された配車要求情報、及びユーザ情報取得部２３０で取得されたユーザ情報に基づいて、ユーザが配車位置を勘違いしている可能性がある“誤認状態”であるか否かを判定する。即ち、ユーザが意図する配車位置（言い換えれば、ユーザが車両３０を待つ位置）と、配車要求情報に含まれた配車位置（言い換えれば、実際に車両３０が配車される位置）との間にずれが生じている可能性があるか否かを判定する。なお、誤認状態判定部２４０による具体的な誤認状態の判定方法については後述する。誤認状態判定部２４０による判定結果は、誤認状態通知部２５０に出力される構成となっている。誤認状態判定部２４０は、後述する付記における「判定手段」の一具体例である。
【００１９】
誤認状態通知部２５０は、誤認状態判定部２４０で“誤認状態である”と判定された場合に、その旨を示す情報をユーザ端末１０に出力する。これにより、ユーザ端末１０の所持者（即ち、ユーザ）は、自身が誤認状態であること（即ち、配車位置を勘違いしている可能性があること）を認識する。誤認状態通知部２５０は、後述する付記における「通知手段」の一具体例である。
【００２０】
車両３０は、自動運転（即ち、運転者不在での走行）が可能に構成されており、配車装置２０からの配車指令に応じて、自律的に指定された配車場所へと移動することが可能に構成されている。なお、車両３０の自動運転は、車両３０自身の走行ではなく、例えば駐車施設に設置されたベルトコンベヤ等によって実現されるものであってもよい。配車が完了した車両３０は、ユーザが搭乗するまで、そのまま配車位置で待機する。
【００２１】
（配車時に生ずる技術的問題点）
次に、配車時に発生し得る技術的問題点について、図２を参照して具体的に説明する。図２は、ユーザの勘違いに起因して生じ得る技術的問題点を示す概念図である。
【００２２】
図２に示す例では、ユーザ１００が立体駐車場で車両３０の配車を要求して車両３０の到着を待っている。ここで特に、ユーザ１００は、立体駐車場の３階を配車位置に指定したつもりである。しかしながら、実際には立体駐車場２階が配車位置に指定されており、車両３０は２階の配車位置で待機し続けている。このような勘違いは、例えばユーザ１００によるユーザ端末１０の操作ミス（具体的には、ボタンの押し間違い等）や、立体駐車場のような景観の似た特殊な環境に起因して容易に起こり得る。
【００２３】
ユーザ１００が配車位置を勘違いしてしまうと、指定された配車位置に正常に車両３０が配車されても、ユーザ１００の元にはいつまで経っても車両３０は到着しない。即ち、ユーザ１００と車両３０とが、それぞれ別々の位置で待機し続けることになってしまう。このような状況は、配車自体は正常に完了しているが故に異常であるとは判定され難く、ユーザ１００が自身の勘違いに気付くまで継続されるおそれがある。つまり、ユーザ１００の勘違いによって、本来であれば不要な待機時間が発生してしまう可能性が高い。
【００２４】
第１実施形態に係る配車システムは、このようなユーザ１００の勘違いに起因する技術的問題点を解消するために、後述する動作を実行する。
【００２５】
（動作説明）
第１実施形態に係る配車システムの動作の流れについて、図３を参照して説明する。図３は、第１実施形態に係る配車システムの動作の流れを示すフローチャートである。
【００２６】
図３に示すように、第１実施形態に係る配車システムの動作時には、まず配車要求取得部２１０が、ユーザ端末１０から送信された配車要求情報を取得する（ステップＳ１０１）。なお、配車要求に応じた配車（即ち、配車実行部２２０による車両３０への指令）は、配車要求情報を取得してすぐに実行されてもよいし、後述する誤認状態の判定後に実行されてもよい。
【００２７】
続いて、ユーザ情報取得部２３０が、ユーザ１００の位置情報を取得する（ステップＳ１０２）。ユーザ１００の位置情報は、例えばユーザ端末１０が有するＧＰＳ（Ｇｌｏｂａｌ  Ｐｏｓｉｔｉｏｎｉｎｇ  Ｓｙｓｔｅｍ）等を利用して取得されたものであればよい。なお、図２に示したように建物の階層を区別する必要があるような場合には、施設に設置された位置情報取得システム等を利用して取得されたものであってもよい。
【００２８】
続いて、誤認状態判定部２４０は、配車要求情報に含まれる配車位置（即ち、ユーザが指定した位置）と、ユーザ１００の位置情報が示す位置（以下、適宜「ユーザ位置」と称する）との差分を演算する（ステップＳ１０３）。ここでの差分は、配車位置とユーザ位置との間の距離として算出されてもよいし、配車位置とユーザ位置との間の距離にユーザ１００の移動速度（例えば、歩く速度）を加味した移動時間を示す値として算出されてもよい。
【００２９】
続いて、誤認状態判定部２４０は、算出した差分が所定の閾値以上であるか否かを判定する（ステップＳ１０４）。ここでの閾値は、ユーザが配車位置を勘違いしていると判断できる程度に大きな値として設定されるものであり、事前のシミュレーション等によって予め最適な値が決定されている。例えば、閾値は、ユーザが現在の位置から配車位置まで移動しようとすると、現実的ではないほどに長い時間を要すると判断できるような値として設定されている。
【００３０】
また閾値は、状況に応じて可変に設定されてもよい。例えば、配車要求で配車時刻が指定された状態で、現時点では指定された配車時刻まで時間に余裕があり、車両３０の配車が実際に開始される前（例えば、駐車スペース又は待機場所からの車両３０の出庫開始前）であるような場合、ユーザ位置と配車位置とが大きく離れていたとしても、その後の配車時刻の時点では、ユーザ１００が配車位置までたどり着く可能性もある（即ち、ユーザ１００が勘違いしてしない可能性もある）。このような状況では、相対的に大きな閾値が用いられることが好ましい。一方、すでに配車時刻になっており、車両３０がすでに配車位置に到着している場合、ユーザ位置と配車位置とが比較的近い場合であっても、その後ユーザ１００が配車位置にたどり着く可能性は低い（即ち、ユーザ１００が勘違いしているが故に、その場を動こうとせず、配車位置まではたどり着けない可能性が高い）。このような状況では、相対的に小さい閾値が用いられることが好ましい。
【００３１】
上述したように、ユーザ位置と配車位置との差分が閾値より大きいか否かを判定すれば、ユーザ１００が誤認状態であるか否かを精度よく判定することができる。このため、差分が閾値以上であると判定された場合には（ステップＳ１０４：ＹＥＳ）、誤認状態通知部２５０がユーザ端末１０に対して誤認状態である旨の通知を行う（ステップＳ１０５）。具体的には、ユーザ端末１０からの音声出力や画像出力、或いは振動出力等による通知が行なわれる。なお、差分が閾値以上でないと判定された場合には（ステップＳ１０４：ＮＯ）、上述した通知は実行されない。
【００３２】
なお、配車システムは、ユーザ１００に対して誤認状態を通知した後、自動的に配車位置を変更する（例えば、現在のユーザ位置に近い位置を新たな配車位置として設定する）ような処理を実行してもよい。
【００３３】
（技術的効果）
次に、第１実施形態に係る配車システムによって得られる技術的効果について説明する。
【００３４】
図１から図３に示したように、第１実施形態に係る配車システムでは、ユーザ１００の位置情報から誤認状態であることを判定し、ユーザ１００に誤認状態であることを通知することが可能である。このような通知を受けたユーザ１００は、自身が誤認状態である（即ち、配車位置を勘違いしている可能性がある）ことを認識することができる。このため、仮に勘違いしていた場合でも、そのまま間違った配車位置で車両３０を待ち続けるという状況を回避することができる。従って、配車時の不要な待機時間を効果的に低減することが可能である。
【００３５】
＜第２実施形態＞
次に、第２実施形態に係る配車システムについて説明する。なお、第２実施形態は、すでに説明した第１実施形態と比べて一部の動作が異なるのみであり、その他の部分については概ね同様である。このため、以下では第１実施形態と異なる部分について詳細に説明し、他の重複する部分については適宜説明を省略するものとする。
【００３６】
（動作説明）
第２実施形態に係る配車システムの動作の流れについて、図４を参照して説明する。図４は、第２実施形態に係る配車システムの動作の流れを示すフローチャートである。
【００３７】
図４に示すように、第２実施形態に係る配車システムの動作時には、第１実施形態と同様に配車要求情報が取得されると（ステップＳ１０１）、その後にユーザ情報取得部２３０が、ユーザ１００のスケジュール情報を取得する（ステップＳ２０２）。即ち、第２実施形態に係るユーザ情報取得部２３０は、後述する付記における「第３取得手段」の一具体例として機能する。
【００３８】
スケジュール情報は、ユーザ１００の予定や予約に関する情報であり、ユーザ１００が向かう場所や時刻に関する情報を含んでいる。より具体的には、スケジュール情報は、例えばユーザ１００の空港、鉄道、病院、レストラン等の予約に関する情報や、ユーザ１００が所定の場所に訪問又は到着するといった今後の予定に関する情報を含んでいる。ユーザ１００のスケジュール情報は、例えばユーザ端末１０内のアプリ等に記憶されたものを用いることができる。
【００３９】
第２実施形態に係る誤認状態判定部２４０は、上述したスケジュール情報を用いて、ユーザ１００の今後の行動を予測する（ステップＳ２０３）。例えば、ユーザ１００がその日の１２時にレストランを予約していれば、ユーザ１００は１２時頃にレストラン周辺に向かうと予測できる。このように、スケジュール情報を利用すれば、ユーザの位置情報を取得せずとも、ユーザ位置を推定することができる。また、現時点でのユーザ位置だけでなく、未来（即ち、スケジュールに応じた時間）のユーザ位置を推定することができる。なお、上記のようにスケジュール情報を活用するためには、配車要求情報に配車時刻に関する情報が含まれていることが望ましい。
【００４０】
誤認状態判定部２４０は、上述したように推定したユーザ位置を用いて、ユーザ１００が誤認状態であるか否かを判定する（ステップＳ２０４）。例えば、第１実施形態と同様に、推定したユーザ位置と配車位置との差分を演算して、その差分が閾値以上であるか否かによって、ユーザ１００が誤認状態であるか否かを判定すればよい。
【００４１】
誤認状態判定部２４０により、ユーザ１００が誤認状態であると判定されると（ステップＳ２０４：ＹＥＳ）、誤認状態通知部２５０がユーザ端末１０に対して誤認状態である旨の通知を行う（ステップＳ１０５）。一方、ユーザ１００が誤認状態ではない判定された場合には（ステップＳ２０４：ＮＯ）、上述した通知は実行されない。
【００４２】
（技術的効果）
次に、第２実施形態に係る配車システムによって得られる技術的効果について説明する。
【００４３】
図４に示したように、第２実施形態に係る配車システムでは、ユーザ１００のスケジュール情報を用いて誤認状態であることを判定し、ユーザ１００に対して誤認状態であることを通知することが可能である。従って、すでに説明した第１実施形態と同様に、配車時の不要な待機時間を効果的に低減することが可能である。
【００４４】
＜第３実施形態＞
次に、第３実施形態に係る配車システムについて説明する。なお、第３実施形態は、すでに説明した第１及び第２実施形態と比べて一部の動作が異なるのみであり、その他の部分については概ね同様である。このため、以下では第１及び第２実施形態と異なる部分について詳細に説明し、他の重複する部分については適宜説明を省略するものとする。
【００４５】
（動作説明）
第３実施形態に係る配車システムの動作の流れについて、図５を参照して説明する。図５は、第３実施形態に係る配車システムの動作の流れを示すフローチャートである。
【００４６】
図５に示すように、第３実施形態に係る配車システムの動作時には、第１実施形態と同様に配車要求情報が取得されると（ステップＳ１０１）、その後にユーザ情報取得部２３０が、配車位置（即ち、指定されたピックアップ希望位置）に関する履歴情報を取得する（ステップＳ３０２）。第３実施形態に係るユーザ情報取得部２３０は、後述する付記における「第４取得手段」の一具体例として機能する。
【００４７】
履歴情報は、過去の配車位置に関する情報を含んでいる。より具体的には、履歴情報は、配車要求をしたユーザ１００が過去に配車位置として指定した位置に関する情報や、他のユーザ（即ち、配車要求をしたユーザ１００とは異なるユーザ）が過去に配車位置として指定した位置に関する情報等を含んでいてもよい。
【００４８】
第３実施形態に係る誤認状態判定部２４０は、上述した履歴情報を用いて、配車位置として指定される位置の傾向を分析する（ステップＳ３０３）。具体的には、過去にユーザ１００が指定した配車位置から、ユーザ１００が好んで利用する配車位置の傾向を分析する。或いは、現在ユーザ１００が訪れている施設を他のユーザが訪れた際に利用した配車位置から、その施設の利用者が好んで利用する配車位置の傾向を分析する。
【００４９】
誤認状態判定部２４０は、上述した分析結果を用いて、ユーザ１００が誤認状態であるか否かを判定する（ステップＳ３０４）。例えば、同一の配車位置を好んで利用する傾向があるユーザ１００が、普段とは異なる配車位置を指定した場合、ユーザ１００は勘違いをしている可能性があると判定する。また、多くのユーザが高い頻度で利用する配車位置が存在する場合、その配車位置とは異なる位置がユーザ１００によって配車位置として指定された場合に、ユーザ１００は勘違いをしている可能性があると判定する。また、殆どのユーザが配車位置として希望しない位置がユーザ１００によって配車位置として指定された場合に、ユーザ１００は勘違いをしている可能性があると判定する。
【００５０】
誤認状態判定部２４０により、ユーザ１００が誤認状態であると判定されると（ステップＳ３０４：ＹＥＳ）、誤認状態通知部２５０がユーザ端末１０に対して誤認状態である旨の通知を行う（ステップＳ１０５）。一方、ユーザ１００が誤認状態ではない判定された場合には（ステップＳ３０４：ＮＯ）、上述した通知は実行されない。
【００５１】
（技術的効果）
次に、第３実施形態に係る配車システムによって得られる技術的効果について説明する。
【００５２】
図５に示したように、第３実施形態に係る配車システムでは、過去の配車位置に関する履歴情報を用いて誤認状態であることを判定し、ユーザ１００に対して誤認状態であることを通知することが可能である。従って、すでに説明した第１及び第２実施形態と同様に、配車時の不要な待機時間を効果的に低減することが可能である。
【００５３】
＜その他の変形例＞
次に、上述した第１から第３実施形態とは異なる、配車システムの変形例（具体的には、誤認状態の判定方法の変形例）について説明する。
【００５４】
誤認状態判定部２４０は、ユーザ１００の入退場情報に基づいて、誤認状態であるか否かを判定してもよい。例えば、ユーザ１００がＩＤを用いて通過したゲートを特定できる場合（具体的には、社員証や乗車カード等をかざして通過したゲートが特定できる場合）、ユーザ１００が通過したゲートの位置をユーザ位置として取得することができる。よって、第１実施形態と同様に、ユーザ位置と配車位置との差分を用いれば、誤認状態を精度よく判定することができる。
【００５５】
配車システムが駐車場に適用される場合には、誤認状態判定部２４０は、駐車した車両３０の配車時において、駐車経路に関する情報を用いて、誤認状態であるか否かを判定してもよい。一部の駐車場では、駐車経路（即ち、駐車時に通過した経路）に含まれるポイントを配車位置として指定することが望まれることがある。このため、駐車経路に含まれない位置が配車位置として指定された場合には、ユーザが勘違いしている可能性があると判定できる。
【００５６】
誤認状態判定部２４０は、車両３０の乗り捨て位置に関する情報を用いて、誤認状態であるか否かを判定してもよい。一部の施設（例えば、駐車場やホテル等）では、乗り捨て位置（即ち、車両３０から降りた位置）と、配車位置（即ち、車両３０に乗り込む位置）とが同じになっている場合がある。具体的には、乗降車専用のスペースが予め決められているような駐車場が存在する。このような駐車場では、乗り捨て位置とは異なる位置が配車位置として指定された場合に、ユーザ１００が勘違いしている可能性があると判定できる。
【００５７】
誤認状態判定部２４０は、車両３０の複数の乗員の位置情報に基づいて、誤認状態であるか否かを判定してもよい。車両３０に複数の乗員が存在する場合、配車時には複数の乗員の各々が配車位置に集まってくることが予想される。このため、車両３０に搭乗する複数の乗員を特定できている場合、それらの位置情報を用いて、誤認状態であるか否かを判定できる。具体的には、複数の乗員がそれぞれ別々の位置に向かっている場合や複数の乗員のうちの少なくとも一人が他の乗員とは異なる位置に向かっている場合には、勘違いが生じている可能性があると判定できる。
【００５８】
＜付記＞
以上説明した実施形態から導き出される発明の各種態様を以下に説明する。
【００５９】
（付記１）
付記１に記載の配車システムは、ユーザに対して自動運転で車両を配車する配車システムであって、前記ユーザが前記車両の乗車位置として指定するピックアップ希望位置を含む配車要求情報を取得する第１取得手段と、前記ユーザが前記ピックアップ希望位置とは異なる位置で前記車両を待つ可能性がある誤認状態であるか否かを判定する判定手段と、前記誤認状態である判定された場合に、前記ユーザに対して前記誤認状態である旨を通知する通知手段とを備える。
【００６０】
付記１に記載の配車システムによれば、ユーザが勘違いをして、指定したピックアップ希望位置とは異なる位置で車両を待つ可能性がある場合に、ユーザに対する通知が行われる。これにより、ユーザは自身が勘違いをしている可能性がある（具体的には、ピックアップ希望位置を誤認している）ことを認識できる。誤認状態であることを認識したユーザは、ピックアップ希望位置（即ち、車両が配車される位置）とは異なる位置で待ち続けてしまうことを回避できる。従って、ユーザの勘違いに起因する不要な待機時間を低減することが可能である。
【００６１】
（付記２）
付記２に記載の配車システムでは、前記ユーザの位置を示す位置情報を取得する第２取得手段を更に備え、前記判定手段は、前記配車要求情報及び前記位置情報を用いて前記誤認状態であるか否かを判定する。
【００６２】
付記２に記載の配車システムによれば、例えばユーザの位置とピックアップ希望位置との差分に基づいて、ユーザが誤認状態であることを高い精度で判定することができる。
【００６３】
（付記３）
付記３に記載の配車システムは、前記ユーザのスケジュール情報を取得する第３取得手段を更に備え、前記判定手段は、前記配車要求情報及び前記スケジュール情報を用いて前記誤認状態であるか否かを判定する。
【００６４】
付記３に記載の配車システムによれば、ユーザの予定や予約に関するスケジュール情報を用いて、ユーザの行動（例えば、ユーザがこれから向かうであろう場所等）を予測することができる。よって、ユーザの行動とピックアップ希望位置との乖離度合い等に基づいて、ユーザが誤認状態であることを高い精度で判定することができる。
【００６５】
（付記４）
付記４に記載の配車システムは、過去の前記ピックアップ希望位置に関する履歴情報を取得する第４取得手段を更に備え、前記判定手段は、前記配車要求情報及び前記履歴情報を用いて前記誤認状態であるか否かを判定する。
【００６６】
付記４に記載の配車システムによれば、過去のピックアップ希望位置に関する履歴情報（他のユーザに関する情報も含んでいてもよい）を用いて誤認状態が判定される。例えば、これまで一度もピックアップ希望位置として指定されたことのない場所への配車が要求された場合には、ユーザが勘違いしている可能性が高い（即ち、誤認状態である）と判定できる。
【００６７】
本発明は、上述した実施形態に限られるものではなく、請求の範囲及び明細書全体から読み取れる発明の要旨或いは思想に反しない範囲で適宜変更可能であり、そのような変更を伴う配車システムもまた本発明の技術的範囲に含まれるものである。
【符号の説明】
【００６８】
１０  ユーザ端末
２０  配車装置
３０  車両
１００  ユーザ
２１０  配車要求取得部
２２０  配車実行部
２３０  ユーザ情報取得部
２４０  誤認状態判定部
２５０  誤認状態通知部
【図１】
2020021156.tif 000003
【図２】
2020021156.tif 000004
【図３】
2020021156.tif 000005
【図４】
2020021156.tif 000006
【図５】
2020021156.tif 000007